(57)【要約】      （修正有）【課題】温泉井において，効果的な消音を可能とするとともに，温泉水の飛散を防止する消音器を提供する。【解決手段】温泉噴気ドレーン抜き消音器は第一空洞部材１と，第一空洞部材１の空洞部分に備えられる第二空洞部材２とからなり，第一空洞部材１は，温泉水が流入する流入口１１と，排水管１２と，排気口１３とを備え，第二空洞部材２は，流入口１１からの温泉水に衝突し衝撃を緩和する衝撃緩和部材２１と，温泉水ないし温泉蒸気等のガスを第二空洞部材２の外に噴出させるための噴出口２２とを備えてなる。【選択図】図２
2014163122.tif 000002
【特許請求の範囲】
【請求項１】
第一空洞部材と，第一空洞部材の空洞部分に備えられる第二空洞部材とからなる消音器であって，
第一空洞部材は，温泉水が流入する流入口と，排水管と，排気口を備え，
第二空洞部材は，流入口からの温泉水に衝突し衝撃を緩和する衝撃緩和部材と，温泉水ないし温泉蒸気等のガスを第二空洞部材外に噴出させるための噴出口とを備えることを特徴とする温泉噴気ドレーン抜き消音器
【請求項２】
流入口が第一空洞部材の中心底部に，排水管が第一空洞部材の流入口外側に，排気口が第一空洞部材の上部に備えられ，
衝撃緩和部材が第二空洞部材の中心上部に，噴出口が第二空洞部材の側壁に備えられていることを特徴とする請求項１に記載の温泉噴気ドレーン抜き消音器
【請求項３】
前記衝撃緩和部材が，多孔質部材からなることを特徴とする請求項１又は２に記載の温泉噴気ドレーン抜き消音器
【請求項４】
前記多孔質部材が，御影石であることを特徴とする請求項３に記載の温泉噴気ドレーン抜き消音器
【請求項５】
第一空洞部材および第二空洞部材が，ステンレス素材からなることを特徴とする請求項１から４に記載の温泉噴気ドレーン抜き消音器
【発明の詳細な説明】
【技術分野】
【０００１】
本発明は，温泉噴気ドレーン抜き消音器に関する。
【背景技術】
【０００２】
温泉は，日本が誇る天然資源の一つであり，都市部や地方を問わず，宿泊施設や医療施設，エネルギー利用など，様々な側面から，温泉が利用されている。
【０００３】
温泉を掘削する際には，５００から２０００メートル程度の掘削を行い，湧水層の発見を行う必要がある。発見された湧水層について，配水管を設置したり，動力ポンプ等の構造設備を設置して，湧水層から温泉を汲み出すことが可能となる。
このように作製・設置された温泉井では，温泉水ならびに温泉蒸気が，配水管から噴出し，ガスと温泉水の分離などが行われる。このような技術として，特許文献１に開示されている技術が挙げられる。
【先行技術文献】
【特許文献】
【０００４】
【特許文献１】特開２００９−２９１７２９
【発明の開示】
【発明が解決しようとする課題】
【０００５】
特許文献１には，温泉水のガス分離装置に関する技術が開示され，排気による消音部が開示されている。しかしながら，消音部の具体的な構成等は明らかになっていない。
【０００６】
このように，温泉水の汲み上げでは，消音を行うことが必要になる。すなわち，勢いよく噴出する温泉水の衝突音や，温泉蒸気を含む大量のガスの噴出音などにより，大きな音が生じることが避けられない。
温泉井自体は，必ずしも人のいないところに設置されるとは限らず，温泉街など，そこに住む住民や宿泊者などがいる周辺に設置されることも，当たり前のように行われている。そのため，これらの人たちに迷惑がかからないよう，温泉井において，効果的に消音を行う技術は必須といえる。
【０００７】
また，温泉井から飛散する温泉水等についても問題となりうる。すなわち，従来技術においては，温泉井から勢いよく噴出する温泉水が周辺に飛散し，この飛散した温泉水が，家屋の壁や車等に付着してしまい，腐食の原因になってしまうという問題があった。
【０００８】
このような事情を背景として本発明では，温泉井において，効果的な消音を可能とするとともに，温泉水の飛散を防止する器具の開発を課題とする。
【課題を解決するための手段】
【０００９】
発明者は，鋭意研究の結果，消音部材を用い温泉水等の衝突音を緩和するとともに，衝突後の温泉水を排水管へ導くことにより，効果的な消音ならびに温泉水の飛散を防止する温泉噴気ドレーン抜き消音器を開発した。
【００１０】
本発明は，以下の構成からなる。
本発明の第一の構成は，第一空洞部材と，第一空洞部材の空洞部分に備えられる第二空洞部材とからなる消音器であって，第一空洞部材は，温泉水が流入する流入口と，排水管と，排気口を備え，第二空洞部材は，流入口からの温泉水に衝突し衝撃を緩和する衝撃緩和部材と，温泉水ないし温泉蒸気等のガスを第二空洞部材外に噴出させるための噴出口とを備えることを特徴とする温泉噴気ドレーン抜き消音器である。
【００１１】
本発明の第二の構成は，流入口が第一空洞部材の中心底部に，排水管が第一空洞部材の流入口外側に，排気口が第一空洞部材の上部に備えられ，衝撃緩和部材が第二空洞部材の中心上部に，噴出口が第二空洞部材の側壁に備えられていることを特徴とする第一の構成に記載の温泉噴気ドレーン抜き消音器である。
【００１２】
本発明の第三の構成は，前記衝撃緩和部材が，多孔質部材からなることを特徴とする第一又は第二の構成に記載の温泉噴気ドレーン抜き消音器である。
【００１３】
本発明の第四の構成は，前記多孔質部材が，御影石であることを特徴とする第三の構成に記載の温泉噴気ドレーン抜き消音器である。
【００１４】
本発明の第五の構成は，第一空洞部材および第二空洞部材が，ステンレス素材からなることを特徴とする第一から第四の構成に記載の温泉噴気ドレーン抜き消音器である。
【発明の効果】
【００１５】
本発明により，温泉井において，効果的な消音を可能とするとともに，温泉水の飛散を防止する器具の提供が可能となった。すなわち，本発明は，複雑な機構を伴わず比較的簡易な構造であるにも関わらず，温泉水の噴出口に取り付けるだけで，効果的な消音ならびに温泉水の飛散防止が可能となるものであり，その取扱の容易性および経済性の観点から，優れた利点を有する。
【図面の簡単な説明】
【００１６】
【図１】温泉噴気ドレーン抜き消音器の外観図
【図２】温泉噴気ドレーン抜き消音器の断面図
【図３】温泉噴気ドレーン抜き消音器の横断図
【図４】温泉噴気ドレーン抜き消音器の使用例
【発明を実施するための形態】
【００１７】
以下，本発明の温泉噴気ドレーン抜き消音器について，具体的な例として図１を用い説明を行うが，当然のことながら，本発明を以下の記載に限定して解釈すべきでないことはいうまでもない。
【００１８】
＜＜１．温泉噴気ドレーン抜き消音器概略＞＞
(1)  本発明の温泉噴気ドレーン抜き消音器は，図１のような外観を有する。図１の例では，縦が約1.6m，横幅が約60cmであり，円筒様の形状を有している。本発明の温泉噴気ドレーン抜き消音器の大きさや縦横比などについて，当然のことながらこれに限定するものではなく，温泉井からの噴出量等を考慮して，適宜，調整すればよい。
(2)  温泉噴気ドレーン抜き消音器は，図４に示すように，湧水層から設置された配水管の先端に設置することにより，用いられる。
(3)  本発明の温泉噴気ドレーン抜き消音器は，図２に示すように第一空洞部材１と第二空洞部材２からなる。
(4)  第一空洞部材および第二空洞部材は，ステンレス素材からなることが好ましい。温泉水は酸性かつ腐食性のガスを含む場合もあることから，ステンレス素材を用いることにより，温泉噴気ドレーン抜き消音器の腐食等を防止することができ，器具の耐久性を向上させる効果を有する。
【００１９】
＜＜２．第一空洞部材＞＞
(1)  第一空洞部材は，第二空洞部材を覆い，かつ，第二空洞部から排出等された温泉水とガス等の分離を行うとともに，温泉水の周辺の飛散を防止する役割を有する。第一空洞部材は，これらの役割を果たす限り特に限定する必要はなく，種々の構成を採用することができる。また，第一空洞部材は，これらの役割を果たすため，流入口，配水管，排気口を必須の構成とする。
(2)  図２を例にとり説明すると，第一空洞部材１は，流入口１１，排水管１２，排気口１３を有する。
【００２０】
［流入口］
(1)  流入口は，温泉井からの温泉水ないし温泉蒸気を含むガスを流入させるための入り口としての役割を果たす。流入口は，この入り口としての役割を果たす限り特に限定する必要はなく，種々の構成を採用することができる。
(2)  流入口１１については，フランジ様の形状を有しており，ネジ等により容易に配管と接続させることが可能な形状となっている。
【００２１】
［排水管］
(1)  排水管は，第二空洞部材から排出等された温泉水を，温泉噴気ドレーン抜き消音器の外へ排出させる流路としての役割を有する。排水管は，この排出の役割を有する限り特に限定する必要はなく，種々の構成を採用することができる。
(2)  排水管の好ましい態様として，第一空洞部材の下部に排水管を配置する態様が挙げられる。これにより，重力に従い温泉水が排水されるため，特別な機構等を有する必要はなく，温泉噴気ドレーン抜き消音器の経済性を向上させる効果を有する。
(3)  また，もう一つの好ましい態様として，排水管は，複数，第一空洞部材に配置することが好ましい。これにより，一つの排水管につまり等が生じても，排水を継続することが可能となり，温泉噴気ドレーン抜き消音器の耐用性を向上させるという効果を有する。
(4)  図２にこれら好ましい態様の例を示す。排水管１２は，流入口１１を中心に，その両側に２つの排水管が配置されている。
【００２２】
［排気口］
(1)  排気口は，第二空洞部から排出されたガス等を，温泉噴気ドレーン抜き消音器外に排出する役割を有する。排気口は，このガス等排出の役割を果たす限り特に限定する必要はなく，種々の構成を採用することができる。
(2)  排気口は，第一空洞部材の上部に設置することが好ましい。これにより，ガス等が滞留を抑制し，温泉噴気ドレーン抜き消音器外へのガス等の排出を効果的に行うことができる。また，排気口は，複数備えても構わない。
【００２３】
＜＜３．第二空洞部材＞＞
(1)  第二空洞部材は，流入口から噴出する温泉水ないし温泉蒸気等を受け止めるとともに衝撃を緩和し，第一空洞部材に温泉水とガス等を送り込む役割を有する。第二空洞部材は，これらの役割を果たす限り特に限定する必要はなく，種々の構成を採用することができる。また，第二空洞部材は，これらの役割を果たすため，衝撃緩和部材と，噴出口を必須の構成とする。
(2)  図２を例にとり説明すると，第二空洞部材２は，衝撃緩和部材２１と複数の噴出口２１を有する。
【００２４】
［衝撃緩和部材］
(1)  衝撃緩和部材は，噴出する温泉水等を直接受け止めるとともに，その衝撃を緩和する中心的役割を有する。
(2)  衝撃緩和部材は，小さな穴が無数に空いた多孔質部材からなることが好ましい。これにより，複雑な機構等を備えることなく，安価かつ簡便に，衝撃を緩和し，消音を行うことが可能となる。
(3)  多孔質部材の好ましい例として，御影石が挙げられる。これにより，優れた衝撃緩和能を発揮するとともに，経済性および耐久性にも優れるという効果を有する。
【００２５】
［噴出口］
(1)  噴出口は，流入した温泉水ないし温泉蒸気等のガスを，第二空洞部材外へ噴出させる役割を有する。噴出口は，この噴出させる役割を有する限り特に限定する必要はなく，種々の構成を採用することができ，例えば，円様の形状や，四角や三角などの多角形様の形状を採用すればよい。
(2)  図２ないし図３に示す噴出口は，円状の噴出口である。これらでは円状の噴出口が，規則正しく並んだ構成となっている。
【符号の説明】
【００２６】
１…第一空洞部材
１１…流入口，１２…排水管，１３…排気口
２…第二空洞部材
２１…衝撃緩和部材，２２…噴出口
【図１】
2014163122.tif 000003
【図２】
2014163122.tif 000004
【図３】
2014163122.tif 000005
【図４】
2014163122.tif 000006